(57)【要約】      （修正有）【課題】落下の危険性が低く且つ先端が外周面から突出しない下桟手摺りを提供する。【解決手段】この下桟手摺り８０は全長ＬＡが建枠の間隔よりも長いため、踏板上に仮置きした場合でも建枠間から容易にはすり抜けず、落下の危険性を低減することが出来る。また本体部５０は角パイプで構成されるため、仮置き状態でも容易には転がらず落下の危険性をさらに低減することが出来る。さらに、この下桟手摺り８０は所定の寸法の長穴型の取付孔５４を有している。また取付板５２が隣の下桟手摺り８０の本体部５０内に挿入可能に構成されている。これにより、横方向への位置調整が可能となり、建築用足場の外周部では下桟手摺り８０を適宜内側にスライドして固定することで下桟手摺り８０を建築用足場の外周面から突出させずに設置することが出来る。これにより建築用足場の外周面を覆う防音パネル等を問題無く設置することが出来る。【選択図】図１
0003209054.tif 000002
【実用新案登録請求の範囲】
【請求項１】
インチピッチとセンチピッチの双方の建築用足場に対応可能で、縦方向の支柱の間に架け渡す下桟手摺りであって、
本体部と、前記本体部の両端に固定した取付板と、前記取付板に設けられ前記支柱の取付ピンが挿入する長穴型の取付孔と、を有し、
全長がセンチピッチの長さプラス２００ｍｍ±１０ｍｍであり、
前記取付孔の長さが１３０ｍｍ〜１６０ｍｍであることを特徴とする下桟手摺り。
【請求項２】
下桟手摺りの中心を前記支柱間の中心に揃えたときに、
取付孔の内端がセンチピッチの取付ピン位置から内側に５７．７ｍｍ〜７３ｍｍの位置にあり、前記取付孔の外端がインチピッチの取付ピン位置から外側に５７．７ｍｍ〜７３ｍｍの位置にあることを特徴とする請求項１記載の下桟手摺り。
【請求項３】
本体部が両端の開口した角パイプで構成され、取付板の幅が前記本体部の幅の内寸と略同等であり、取付け時に前記取付板が隣の本体部に挿入可能なことを特徴とする請求項１または請求項２に記載の下桟手摺り。
【考案の詳細な説明】
【技術分野】
【０００１】
本考案は、建築物の建造や補修等の際に作業者の足場として構築する建築用足場の下桟手摺りに関するものである。
【背景技術】
【０００２】
建築物の建造や補修等の際には、例えば図４に示すような建築用足場３０を建築物の周囲に構築して高所作業を行い、完了後には解体して撤去することが一般的に行われている。この建築用足場３０は、縦方向の支柱となる建枠３２と、この建枠３２の間に架け渡され作業員の足場となる踏板３４と、建築用足場３０を補強する筋交３６と、を有している。また、建築用足場３０にはこれらの構成に加え、筋交３６の下部隙間からの作業者の落下を防止するための下桟（下さん）手摺り１０を設けることが定められている。この下桟手摺り１０に関し、下記［特許文献１］には着脱が容易な落下防止用手摺桟に関する発明が開示されている。
【先行技術文献】
【特許文献】
【０００３】
【特許文献１】特開平９−２２８６２４号公報
【考案の概要】
【考案が解決しようとする課題】
【０００４】
これらの建築用足場３０の各部材は組立て時に固定され基本的に落下することは無い。しかしながら、建築用足場３０の構築時や解体時では踏板３４上に各部材を仮置きし、順次次段の構築もしくは解体を行っていくことが一般的である。このときの各部材は仮置きの状態であるから固定がされておらず、建枠３２間から落下する可能性が有る。ただし、踏板３４はある程度の幅があるため仮置き状態であっても比較的落下の危険性は少ない。また、筋交３６は長さが建枠３２間の間隔Ｌよりも長いため仮置き状態であっても比較的落下の危険性は少ない。しかしながら、従来の下桟手摺り１０はその構成上、長さが建枠３２間の間隔Ｌと略同等であり、踏板３４上に仮置きした場合に他の部材よりも建枠３２間からすり抜けて落下する危険性が高い。また、従来の下桟手摺り１０は円形パイプ状のものが一般的で転がり易く、これが落下の危険性をさらに高めている。
【０００５】
また、落下防止のために下桟手摺り１０の長さを単純に長くした場合、建築用足場３０の外周面において、下桟手摺り１０の先端が図４の破線で示す突出部Ａのように外周面から突出してしまい、防音パネル３８や飛散防止シート等のカバー部材を建築用足場３０の外周面に設置しにくいという問題点がある。
【０００６】
本考案は上記事情に鑑みてなされたものであり、落下の危険性が低く且つ先端が外周面から突出しない下桟手摺りを提供することを目的とする。
【課題を解決するための手段】
【０００７】
本考案は、
（１）インチピッチとセンチピッチの双方の建築用足場３０に対応可能で、縦方向の支柱（建枠３２）の間に架け渡す下桟手摺りであって、
本体部５０と、前記本体部５０の両端に固定した取付板５２と、前記取付板５２に設けられ前記支柱の取付ピンＰｉ、Ｐｃが挿入する長穴型の取付孔５４と、を有し、
全長ＬＡがセンチピッチの長さプラス２００ｍｍ±１０ｍｍであり、
前記取付孔５４の長さＬｃが１３０ｍｍ〜１６０ｍｍであることを特徴とする下桟手摺り８０を提供することにより、上記課題を解決する。
（２）下桟手摺り８０の中心を前記支柱（建枠３２）間の中心に揃えたときに、
取付孔５４の内端がセンチピッチの取付ピンＰｃ位置から内側に５７．７ｍｍ〜７３ｍｍの位置にあり、前記取付孔５４の外端がインチピッチの取付ピンＰｉ位置から外側に５７．７ｍｍ〜７３ｍｍの位置にあることを特徴とする上記（１）記載の下桟手摺り８０を提供することにより、上記課題を解決する。
（３）本体部５０が両端の開口した角パイプで構成され、取付板５２の幅Ｗｂが前記本体部５０の幅の内寸Ｗａと略同等であり、取付け時に前記取付板５２が隣の本体部５０に挿入可能なことを特徴とする上記（１）または（２）に記載の下桟手摺り８０を提供することにより、上記課題を解決する。
【考案の効果】
【０００８】
本考案に係る下桟手摺りは、全長が建枠（支柱）の間隔よりも長いため、踏板上に仮置きした場合でも建枠間からは容易にすり抜けず、落下の危険性を低減することが出来る。また、下桟手摺りの本体部は角パイプで構成されるため転がらず落下の危険性をさらに低減することが出来る。また、角パイプで構成することで縦横に束ねてもバラつかず積載効率が高いことに加え、搬送も楽に行うことが出来る。さらに、本考案に係る下桟手摺りは所定の寸法の長穴型の取付孔を有している。また、取付板が隣の下桟手摺りの本体部内に挿入可能に構成されている。これにより、横方向への位置調整が可能となり、建築用足場の外周部では適宜内側にスライドして固定することで、下桟手摺りを建築用足場の外周面から突出させずに設置することが出来る。これにより、建築用足場の外周面を覆う防音パネル等のカバー部材を問題無く設置することが出来る。
【図面の簡単な説明】
【０００９】
【図１】本考案に係る下桟手摺りを示す図である。
【図２】本考案に係る下桟手摺りを用いた建築用足場を示す図である。
【図３】本考案に係る下桟手摺りの外周部における使用状態を説明する図である。
【図４】従来の下桟手摺りを用いた建築用足場を示す図である。
【考案を実施するための形態】
【００１０】
本考案に係る下桟手摺りの実施の形態を図面に基づいて説明する。ここで、図１（ａ）は本考案に係る下桟手摺り８０の正面図であり、図１（ｂ）は側面図であり、図１（ｃ）は端面図である。また、図１（ｄ）は本考案に係る下桟手摺り８０の取付板部分の拡大図である。尚、図１（ａ）〜（ｃ）では１８００ｍｍピッチ用の下桟手摺りを例に図示している。
【００１１】
本考案に係る下桟手摺り８０は、インチピッチとセンチピッチの双方の建築用足場３０に対応可能で、縦方向の建枠３２（支柱）間の下部に架け渡すものであり、本体部５０と、この本体部５０の両端に固定した取付板５２と、この取付板５２に設けられ建枠３２の取付ピンＰｉ、Ｐｃが挿入する長穴型の取付孔５４と、を有している。
【００１２】
そして、この下桟手摺り８０の全長ＬＡは建築用足場３０のセンチピッチの長さプラス２００ｍｍ±１０ｍｍとする。即ち、センチピッチの規格は１８００ｍｍ、１５００ｍｍ、１２００ｍｍ、９００ｍｍ、６００ｍｍであるから、下桟手摺り８０の全長ＬＡは１８００ｍｍ用では２０００ｍｍ±１０ｍｍ、１５００ｍｍ用では１７００ｍｍ±１０ｍｍ、１２００ｍｍ用では１４００ｍｍ±１０ｍｍ、９００ｍｍ用では１１００ｍｍ±１０ｍｍ、６００ｍｍ用では８００ｍｍ±１０ｍｍ、となる。このように、本考案に係る下桟手摺り８０の全長ＬＡはセンチピッチの建枠３２間の間隔Ｌよりも約２００ｍｍ、インチピッチの建枠３２間の間隔Ｌよりも約１７０ｍｍ長い。このため構築もしくは解体時に踏板３４上に仮置きした場合でも、下桟手摺り８０は建枠３２間を容易にはすり抜けず、落下の危険性を低減することが出来る。また、本考案に係る下桟手摺り８０の本体部５０は、両端の開口した角パイプで構成する。このように、本体部５０を角パイプで構成することで仮置き状態でも容易には転がらず、落下の危険性をさらに低減することが出来る。また、本体部５０を角パイプで構成することで、縦横に束ねた場合でも隙間が空かず円パイプと比較して効率の良い積載を行うことが出来る。また、搬送時にもバラつかず、積載、搬入、搬出を楽に行うことが出来る。
【００１３】
さらに、本考案に係る下桟手摺り８０は、本体部５０の幅方向の内寸Ｗａと取付板５２の幅Ｗｂの寸法とを略同等とする。例えば、本体部５０に内寸Ｗａが３０ｍｍの３５ｍｍ角パイプを用いた場合、取付板５２の幅Ｗｂも３０ｍｍとする。これにより、本考案に係る下桟手摺り８０は、取付板５２が別の下桟手摺り８０の本体部５０内に挿入可能となる。これにより、後述の下桟手摺り８０の横方向への位置調整の際に、移動する側の取付板５２は隣の下桟手摺り８０の本体部５０内へ適宜挿入する。また、本体部５０は上側が短くなるように両端を斜めにカットして、側面視で略台形形状とすることが取付板５２の挿入の観点から好ましい。
【００１４】
尚、下桟手摺り８０は、所定の寸法、形状に加工した角パイプ（本体部５０）に取付板５２となる板状部材を挿入し固定して製造することが好ましい。また、本体部５０及び取付板５２は比較的軽量で強度の高いアルミニウムを用いることが好ましい。尚、下桟手摺り８０の製造方法、材質はこれらのものに限定される訳ではなく、一般的な材料、製造方法を用いることが出来る。
【００１５】
また、本考案に係る下桟手摺り８０の取付孔５４の長さは１３０ｍｍ〜１６０ｍｍとする。また、この取付孔５４の特に好ましい寸法としては、下桟手摺り８０の中心を建枠３２間の中心に揃えたときに、図１（ｄ）に示すように、センチピッチの取付ピン位置（Ｐｃの中心）から取付孔５４の内端までの距離Ｌａを５７．７ｍｍ〜７３ｍｍとし、またインチピッチの取付ピン位置（Ｐｉの中心）から取付孔５４の外端までの距離Ｌｂを５７．７ｍｍ〜７３ｍｍとしたものである。この構成によれば、建築用足場３０の外周部の下桟手摺り８０を適宜内側にスライドすることで、下桟手摺り８０を建築用足場３０の外周面から突出させずに設置することが出来る。また、下桟手摺り８０の上下左右を気にすることなく取り付けることが出来る。
【００１６】
次に、本考案に係る下桟手摺り８０の使用方法を説明する。先ず、建築用足場３０の各部材を現地に搬入する。この際、下桟手摺り８０の本体部５０は角パイプで構成されているため積載効率が高く、また搬送時にもバラつかず積載、搬入、搬出を楽に行うことが出来る。
【００１７】
そして、例えば敷板上にジャッキベースを載置し、このジャッキベース上に縦方向の支柱となる建枠３２を設置した後、図２に示すように、建枠３２間に踏板３４、筋交３６、下桟手摺り８０等を架け渡して固定する。このときの筋交３６の取付方法は、筋交３６の一方の取付孔を建枠３２の下部の取付ピンＰｉ、Ｐｃに挿入し、他方の取付孔を隣の建枠３２の上部の取付ピンＰｉ、Ｐｃに挿入することで行う。また、下桟手摺り８０の取付方法は、下桟手摺り８０の両端の取付孔５４を両側の建枠３２の下部の取付ピンＰｉ、Ｐｃに挿入することで行う。尚、取付ピンＰｉ、Ｐｃには図示しない抜け止め金具、リベット、ナット等の抜け止め部材が設置され、構築後に筋交３６、下桟手摺り８０が取付ピンＰｉ、Ｐｃから脱落することはない。そして、これらを下から順に組み上げることで建築用足場３０を構築していく。この際、本考案に係る下桟手摺り８０の取付孔５４は長さ１３０ｍｍ〜１６０ｍｍの長穴で構成されているから、取付ピンＰｉ、Ｐｃの間隔がインチピッチであってもセンチピッチであっても問題無く取付けることが出来る。
【００１８】
また、建築用足場３０の外周面に位置する建枠３２の下桟手摺り８０は、内側にスライドさせて設置する。ここで、図３（ａ）、（ｂ）にインチピッチの建築用足場３０の外周部における取付ピンＰｉと取付孔５４との位置関係を示す。また、図３（ｃ）、（ｄ）にセンチピッチの建築用足場３０の外周部における取付ピンＰｃと取付孔５４との位置関係を示す。尚、図３（ａ）、（ｃ）が水平方向から見た図であり、図３（ｂ）、（ｄ）が垂直方向から見た図である。また、図３においては、筋交３６等の図示は省略する。
【００１９】
インチピッチ時の外周部の下桟手摺り８０は、図３（ａ）、（ｂ）に示すように、外側の取付孔５４の外端に外周側の建枠３２の取付ピンＰｉが位置するように、下桟手摺り８０を内側にスライドさせて設置する。このとき、内側の取付板５２は隣の下桟手摺り８０の本体部５０内に挿入する。そして、前述の下桟手摺り８０の全長ＬＡ及び取付孔５４の寸法範囲であれば、下桟手摺り８０の外側の取付板５２は建築用足場３０の外周面から突出せず、防音パネル３８等を問題無く設置することが出来る。また、センチピッチ時の外周部の下桟手摺り８０は、図３（ｃ）、（ｄ）に示すように、下桟手摺り８０の内側の取付孔５４の内端に外周側より一つ内側の建枠３２の取付ピンＰｃが位置するようにスライドさせて設置する。そして、前述の下桟手摺り８０の全長ＬＡ及び取付孔５４の寸法範囲であれば、下桟手摺り８０の外側の取付板５２は建築用足場３０の外周面から突出せず、防音パネル３８等を問題無く設置することが出来る。
【００２０】
以上のように、本考案に係る下桟手摺り８０は全長ＬＡが建枠３２間の間隔Ｌよりもセンチピッチで約２００ｍｍ、インチピッチで約１７０ｍｍ長い。このため、構築もしくは解体時に下桟手摺り８０を踏板３４上に仮置きした場合でも、建枠３２間から容易にはすり抜けず、落下の危険性を低減することが出来る。また、下桟手摺り８０の本体部５０は角パイプで構成されるため、仮置き状態でも容易には転がらず落下の危険性をさらに低減することが出来る。また、角パイプで構成することで縦横に束ねてもバラつかず積載効率が高いことに加え、搬送も楽に行うことが出来る。
【００２１】
また、本考案に係る下桟手摺り８０は所定の寸法の長穴型の取付孔５４を有している。また、取付板５２が隣の下桟手摺り８０の本体部５０内に挿入可能に構成されている。これにより、本考案に係る下桟手摺り８０は横方向への位置調整が可能となり、建築用足場３０の外周部では下桟手摺り８０を適宜内側にスライドして固定することで、下桟手摺り８０を建築用足場３０の外周面から突出させずに設置することが出来る。これにより、建築用足場３０の外周面を覆う防音パネル３８等のカバー部材を従来通り問題無く設置することが出来る。
【００２２】
尚、上記に示した下桟手摺り８０の各部の形状、デザイン等は一例であるから、上記の例に限定されるわけでは無く、本考案は本考案の要旨を逸脱しない範囲で変更して実施することが可能である。
【符号の説明】
【００２３】
３０    建築用足場
３２    建枠（支柱）
５０    本体部
５２    取付板
５４    取付孔
８０    下桟手摺り
Ｐｉ、Ｐｃ  取付ピン
【図１】
0003209054.tif 000003
【図２】
0003209054.tif 000004
【図３】
0003209054.tif 000005
【図４】
0003209054.tif 000006